(57)【特許請求の範囲】
【請求項１】
回転式除湿材に加熱された空気を吹きかける回転式除湿材への再生空気加熱装置において、
加熱手段を格納するケースと、
回転式除湿材に対して空気を吹き出す前記ケースの吹出し面と、
前記吹出し面に対して側方から前記ケース内部に空気を送り込むために前記ケースに設けられた開口部とを備え、
前記ケース内で前記加熱手段の収納部と前記開口部との間に空間を設けると共に、前記開口部から送り込まれる空気を、前記空間から前記加熱手段を経由して前記吹出し面に導く第１の経路と、前記空間から前記吹出し面に導く第２の経路とに分ける分割板を設けて、加熱量の異なる空気を前記吹出し面から吹き出すように構成したことを特徴とする回転式除湿材への再生空気加熱装置。
【請求項２】
前記吹出し面で、前記加熱手段の収納部から空気を吹き出す部分の面積は、前記空間から空気を吹き出す部分の面積よりも大きいことを特徴とする請求項１記載の回転式除湿材への再生空気加熱装置。
【請求項３】
請求項１または２に記載の再生空気加熱装置を用いた除湿機であって、
前記吹出し面に対向するように配置された回転式除湿材を備え、
前記加熱手段の収納部からの空気、前記空間からの空気、被除湿空気の順で空気が吹きかけられるように、前記回転式除湿材の回転方向を設定したことを特徴とする除湿機。
【請求項４】
請求項１または２に記載の再生空気加熱装置を用いた除湿機であって、
前記吹出し面に対向するように配置された回転式除湿材を備え、
前記ケースにおける前記開口部の形成位置は、前記回転式除湿材の外周よりも中心側に対応していることを特徴とする除湿機。
【発明の詳細な説明】
【０００１】
【発明の属する技術分野】
本発明は、回転式除湿材を備えた除湿機の回転式除湿材への再生空気加熱装置に関するものである。
【０００２】
【従来の技術】
従来の回転式除湿材への再生空気加熱装置が使用される回転式除湿材を備えた除湿機の構成についてまず説明する。
【０００３】
図８は除湿機の全体構成説明図である。除湿ローター３１は平面シートに片波成形体を巻回したハニカムローターの表面や内部にゼオライト（吸湿剤）を担持させたもので、ゼオライトには潮解現象がなく、結晶質で安定した細孔構造を持ち、水分吸着に対して劣化が少なく、長期間安定した吸湿作用を有する。
【０００４】
被除湿空気３２は除湿ファン４５に吸引され、フィルター３３で粗いゴミを取り去り、凝縮器３４を通過し、後述のように、暖かく湿った凝縮器内部の再生空気を冷却し、再生空気中の水分を結露させる。凝縮器３４を通過した被除湿空気３２は除湿ローター３１を通過し、吸湿剤に吸湿させ、乾燥空気３６となり、熱回収熱交換器３５にて熱回収後、室内に放出される。
【０００５】
吸湿した除湿ローター３１の吸湿剤を再生させるため、再生ヒーターである加熱部９にて再生空気を２００°Ｃ〜２５０°Ｃに加熱した後、除湿ローター３１に再生ファン３８により送風する。加熱された再生空気は除湿ローター３１の吸湿剤から水分を受け取り、暖かく湿った空気となり、凝縮器３４にて冷却され、水分を結露させて排出する。結露水３９は水受タンク４０に導かれる。水受タンク４０には水位を検知するフロートスイッチ（図示せず）を備え、所定の水位を検知すると、備えられている揚水ポンプ４１を運転し、揚水チューブ４８を経て貯水タンク４２に結露水３９を蓄える。
【０００６】
除湿ローター３１は駆動モーター（図示せず）で回転されており、被除湿空気３２が通過する除湿部４６と加熱された熱風が通過する再生部４７は少しづつ回転移動しており、吸湿してもまた再生され、連続的に使用可能である。
【０００７】
除湿ローター３１に加熱された熱風が通過し少しづつ回転移動するため、除湿ローター３１は暖められている。ここに被除湿空気３２が通過するため、通過後の暖められた乾燥空気３６で、熱回収熱交換器３５に熱を回収する。熱回収熱交換器３５の内部には凝縮器３４で結露水３９を排出した後の再生空気が通過し、暖められた分だけ、再生ヒーターである加熱部９の電力を節約できる。再生空気は上記のように、閉回路になって、繰り返し使用されている。
【０００８】
【発明が解決しようとする課題】
上記従来の構成のものであれば、加熱装置の加熱にては除湿ローターに対して均一な熱風温度にならず、バラツキがあったためその加熱温度の低い処では効率よく水分を取り出すことはできなかった。
【０００９】
【課題を解決するための手段】
本発明の回転式除湿材への再生空気加熱装置は上記課題を解決するために、回転式除湿材に加熱された空気を吹きかける回転式除湿材への再生空気加熱装置において、加熱手段を格納するケースと、回転式除湿材に対して空気を吹き出す前記ケースの吹出し面と、前記吹出し面に対して側方から前記ケース内部に空気を送り込むために前記ケースに設けられた開口部とを備え、前記ケース内で前記加熱手段の収納部と前記開口部との間に空間を設けると共に、前記開口部から送り込まれる空気を、前記空間から前記加熱手段を経由して前記吹出し面に導く第１の経路と、前記空間から前記吹出し面に導く第２の経路とに分ける分割板を設けて、加熱量の異なる空気を前記吹出し面から吹き出すように構成したものである。
【００１１】
そして、前記吹出し面で、前記加熱手段の収納部から空気を吹き出す部分の面積は、前記空間から空気を吹き出す部分の面積よりも大きいものである。
【００１２】
また、本発明の除湿機は、上記再生空気加熱装置を用いた除湿機であって、前記吹出し面に対向するように配置された回転式除湿材を備え、前記加熱手段の収納部からの空気、前記空間からの空気、被除湿空気の順で空気が吹きかけられるように、前記回転式除湿材の回転方向を設定したものである。
【００１３】
また、本発明の除湿機は、上記再生空気加熱装置を用いた除湿機であって、  前記吹出し面に対向するように配置された回転式除湿材を備え、前記ケースにおける前記開口部の形成位置は、前記回転式除湿材の外周よりも中心側に対応しているものである。
【００１４】
本発明によれば、加熱量の大きい加熱手段を通過した再生空気が吸湿した回転式除湿材から、水分を取り出して再生すると共に、その余熱で暖まっている回転式除湿材の部分に、加熱量の小さい空間から吹き出す再生空気が送風され、更に、水分を取り出して再生することができる。また、分割板で、それぞれの経路の送風量を調整できる。
【００１５】
また、ケースの開口部に近い送風上流部の空間から空気を吹き出す経路を加熱量の小さい経路とし、送風下流部のケースの加熱手段収納部から空気を吹き出す経路を加熱量の大きい経路とする。ケース内に送り込まれた空気は略９０度送風方向を変更するため、メインとなる加熱量の大きい経路の送風量が、サブとなる加熱量の小さい経路の送風量より大きくなるようにするのが好ましい。
【００１７】
【発明の実施の形態】
本発明に係る回転式除湿材への再生空気加熱装置の実施の形態について、以下に説明する。
【００１８】
本発明に係る再生空気加熱装置が使用される回転式除湿材を備えた除湿機の構成については、従来の技術の項で記載したので重複部分の説明は省略し、発明の実施の形態の説明においても、同一部分は同一符号を付して説明する。
【００１９】
まず、水分を吸着した吸湿剤を加熱して水分を吐き出させ、再生する再生部４７について、図７を用いて説明する。再生部４７に送風する再生空気はそのすべてを再生ヒーターである加熱部９にて加熱した熱風とすることは必ずしも必要ではない。
【００２０】
加熱量の大きい第１の経路を通過した熱風の再生空気５２と、加熱量の小さい第２の経路を通過した再生空気５３とに再生空気を分けて除湿ローター３１の再生部４７に送風する。
【００２１】
加熱量の大きい第１の経路を通過した熱風の再生空気５２が通過した再生部４７は暖められている。除湿ローター３１は回転しているから、次には暖められている除湿ローター３１の再生部４７に、加熱量の小さい第２の経路を通過した再生空気５３が、通過しても、余熱を有効に利用して、更に水分を取り出し再生させることができる。
【００２２】
加熱量の小さい第２の経路は、第１の経路の加熱量によっては、その余熱だけで十分であるから、加熱無しの経路とすることもできる。
【００２３】
図１は、本発明の実施の形態に係る再生空気加熱装置周辺の構成斜視図であり、図１において、吸湿剤を担持した除湿ローター３１、この除湿ローター３１の再生部４７に再生空気を送るシロッコファンケーシング４３、モータ４４を備えた再生ファン３８を熱回収熱交換器３５に取り付け、これらを仕切り板３に固定する。再生空気加熱装置（再生空気加熱部構造）１は除湿ローター３１の再生部４７に対応する部分の仕切り板５１に係止されており、再生空気加熱装置１のケース２は再生ファン３８により送風される再生空気を除湿ローター３１の再生部４７に導く送風ダクトの役割をもっている。
【００２４】
除湿ローター３１の再生部４７を通過した再生空気を集め、冷却して結露させ、水分を取り除く凝縮器３４に送り込む送風ダクト構造を、除湿ローター３１の再生部４７に対応する部分で、再生空気加熱装置１の反対側に設けた、再生ボックス（図示せず）で果たしている。
【００２５】
除湿ローター３１の外周には歯車を設け、この歯車と噛み合うプーリーで駆動モーターのギア（図示せず）で、減速された回転軸からの動力で除湿ローター３１はゆっくりと回転する。被除湿空気３２が通過する除湿部４６と加熱された熱風が通過する再生部４７は少しづつ回転移動しており、吸湿してもまた再生され、連続的に使用可能である。
【００２６】
図２に再生空気加熱装置１を除湿ローター３１の再生部４７に対応する部分から見た平面図を、図３に図２のＡ−Ａ断面図を示している。実施の形態においては、加熱量の大きい第１の経路を加熱部９を通過する経路とし、加熱量の小さい第２の経路を加熱無しの経路即ち、加熱部９を通過しない経路としている。
【００２７】
図２、図３において、ケース２の開口部３より送風される再生空気は、ケース２の開口部３を分割板４によって、第１の経路と第２の経路にそれぞれ送風量を分割し、ケース２の開口部３より送風される再生空気は、その送風方向を略９０度曲げられて図３に矢視Ｂの如く、吹き出しカバー６のスリット穴８を通過して排出される、加熱部９を経由しない第２の経路と、矢視Ｃの如く、ケース２の開口部３より送風される再生空気は、邪魔板５によって加熱部に送られ、加熱部９を通過し熱風となって吹き出しカバー６の開口穴７より排出される、加熱部９を経由する第１の経路とに分けて除湿ローター３１の再生部４７に送風される。
【００２８】
図３にて矢示Ｂの如く、ケース２の開口部３より送風される加熱部９を経由しない第２の経路を通過する再生空気５３より、矢示Ｃの如く、ケース２の開口部３より邪魔板５で風向きを調整されて、加熱部９を通過し熱風となって排出される加熱部９を経由する第１の経路の再生空気５２の風量が多くなって、除湿ローター３１の再生部４７に送風される。分割板４には穴などがなく完全に第１と第２の経路とは仕切られてる。
【００２９】
なお、加熱量の小さい第２の経路を加熱無しではなく、多少の加熱量の経路とするには、図３にて矢示Ｂのケース２の開口部３を通過して後に、多少の加熱量となる加熱部を加熱部９に準じて設けることは容易である。
【００３０】
再生空気加熱装置１の各部の構造詳細を記載しておくと、ケース２はステンレス鋼板を絞ったもので、同じくステンレス鋼板の吹出しカバー６の周囲には縁立しろを設け、複数個の穴を備え、ケース２の係合する位置に設けられている複数個の小さい長方形の穴に上記吹き出しカバー６の穴を合致して、吹き出しカバー６をケース２に螺子固定している。
【００３１】
吹き出しカバー６は上記のように、第１経路の開口穴７と第２経路のスリット穴８とを備えているが、これらの穴を異なった穴形状としたり、穴の大きさを変えて送風量を調節する。また、各々の穴の周囲に強度を兼ねた数ｍｍの縁立部を設けて、この縁立部により送風の方向を一定に保つ役割もしている。よって、第１の経路及び第２の経路の送風出口の周囲を縁立て加工を施し、送風の方向性を見極め、回転式除湿材の再生部側へ送風するので、送風の乱流をなすことができる。
そして、吹き出しカバー６はケース２に嵌合されていて、加熱された再生空気が嵌合部より漏れることはない。そしてまた、この吹き出しカバーの吹き出し口において、第１の経路側の開口穴７は除湿ローター３１の回転方向の上流側に配置し、加熱した空気は回転方向に引っ張られて、除湿ローターに送られる。また、路側のスリット穴８は除湿ローター３１の回転方向の下流側に配置され、空気の噴出速度を速めて、除湿ローター３１に送られ、第１の経路の開口穴７より空気が漏れないようにカーテンの役目をする。よって、第２の経路の送風出口の形状をスリット状で、噴出速度を増して、回転式除湿材の再生部側へ送風し、第１の経路の送風を第２の経路の送風がエアーカーテンの役目をして、送風漏れをなくすことができる。
【００３２】
加熱部９の構造詳細を図４、図５、図６に示す。図４は除湿ローター３１の再生部４７に対応する部分から見た平面図、図５は図４を上部より見た上面図、図６は図４を側面より見た側面図である。
【００３３】
図４にて放射状に拡がる３枚の絶縁材であるマイカ板１１に、コイル状ニクロム線ヒーターであって、１００Ｖ−２００Ｗのヒーター線１２と、１００Ｖ−３００Ｗのヒーター線１３の２個のヒーター線を、上下２段に、それぞれつずら折り状に折り曲げ固定したヒーター組品１６とする。
【００３４】
ヒーター線１２、１３は共通端子２９に１方側が接続され、他端は並列に接続されており、ヒーター線１２、１３のどちらか１方又は両方に選択的に通電可能である。つまり、２００Ｗ，３００Ｗ，５００Ｗの加熱量が選択できる。
【００３５】
台形状の幅広の底辺となるヒーターケース１４と、台形状のその他の辺となる３つ折りのヒーターケースＶ１５とでヒーター組品１６の側部を囲っている。ヒーターケース１４、１５の内面側には絶縁のために、マイカ板２５、２６がハトメ端子３０で固定されていて、万一ヒーター線１２、１３が接触したり、絶縁距離が小さくなっても、危険でないように配慮されている。
【００３６】
ヒーターケース１４には、ヒーター組品１６の３枚のマイカ板１１の端部に設けられた突起に係合する小さな長方形の穴が、ヒーターケースＶ１５の台形状の幅狭の上辺にあたる辺の中央部には上記３枚のマイカ板１１の他端が１カ所に集まり、設けられた突起が係合する長方形の穴が、それぞれ設けられ、これらの穴にヒーター組品１６のマイカ板１１の突起を挿入させ、ヒーターケース１４の両端の係合穴に、ヒーターケースＶ１５端部の突起を挿入して、カシメ係止している。なお、３枚のマイカ板１１は大中小３枚のマイカ板２２、２３、２４で、その相互位置を保つべく連結されている。また、ヒータケース１４、ヒータケースＶ１５には個々に脚部が設けられ、この脚部先端にはケース２に固定用の螺子穴があり、吹き出しカバー６の取り付け前に螺子で固定される。
【００３７】
ヒーターケース１４の内面に固定のマイカ板２５には温度ヒューズ２７、サーモスタット２８が配設され、ヒーター線１２、１３の共通端子２９に直列に接続されている。万一の異常発熱の際は、このサーモスタット２８が動作してヒーター線１２、１３への通電を停止する。また、サーモスタット２８が不良となり、動作しないときは温度ヒューズ２７が動作し、ヒーター線１２、１３への通電を停止する。
【００３８】
ただし、除湿機としては、これら以外にも、適宜箇所に過熱防止のためのサーミスターを複数個配置して安全には配慮している。なお、除湿機とはいっても室温を感知するルームサーミスターを備え、室温と、別途湿度を感知するセンサーによる室内湿度とで、カビが生えると心配される温度・湿度の条件のときには、カビ注意の警告表示を行っている。このルームサーミスターを用いて、被除湿空気３２の温度が所定温度になれば、除湿機全体の運転を停止する機能を備えることもできる。
【００３９】
再生空気は閉回路で連続的に使用するが、どうしても湿気を含んでおり、温度が下がると結露が心配される。そこで、ケース２、吹き出しカバー６および吹き出しカバー６にスポット溶接されている分割板４はステンレス鋼板を使用し、結露しても、錆びることのないように配慮している。ヒーターケース１４、ヒータケース１５はヒーター線１２、１３の近傍にあり、機器の運転中に低温になることはなく、アルミメッキ鋼板を使用している。
【００４０】
なお、本発明は上記実施の形態に限定されるものではない。
【００４１】
【発明の効果】
本発明によれば、加熱量の大きい加熱手段を通過した再生空気が吸湿した回転式除湿材から、水分を取り出して再生すると共に、その余熱で暖まっている回転式除湿材の部分に、加熱量の小さい空間から吹き出す再生空気が送風され、更に、水分を取り出して再生することができる。また、分割板で、それぞれの経路の送風量を調整できる。
【００４３】
そして、ケースの吹出し面において、ケースの加熱手段収納部から空気を吹き出す部分の空気を、ケースの空間から空気を吹き出す部分の面積より大きくすれば、加熱手段収納部から空気を吹き出す経路の送風量がケースの空間から空気を吹き出す経路の送風量よりも大きくなるようにすることができる。
【図面の簡単な説明】
【図１】本発明の実施の形態に係る再生空気加熱装置周辺の構成斜視図である。
【図２】本発明の実施の形態に係る再生空気加熱装置を除湿ローターの再生部に対応する部分から見た平面図である。
【図３】図２のＡ−Ａ線の要部断面図である。
【図４】本発明の実施の形態に係る加熱部の要部正面図である。
【図５】本発明の実施の形態に係る加熱部の要部上面図である。
【図６】本発明の実施の形態に係る加熱部の要部側面図である。
【図７】本発明の実施の形態を示す加熱部を経由した熱風再生空気と加熱部を経由しない再生空気とを回転式除湿材（除湿ローター）に送風する状況説明図である。
【図８】従来の再生空気加熱装置が使用される回転式除湿材を備えた除湿機の全体構成説明図である。
【符号の説明】
１  再生空気加熱装置
２  ケース
３  開口部
４  分割板
５  邪魔板
６  吹き出しカバー
７  開口穴
８  スリット穴
９  加熱部
１２、１３  ヒーター線
１６  ヒーター組品
３１  除湿ローター（回転式除湿材）
３５  熱回収熱交換器
３８  再生ファン
４６  除湿部
４７  再生部
５２  加熱量の大きい第１の経路を通過した再生空気
５３  加熱量の小さい第２の経路（又は加熱無しの経路）を通過した再生空気
【図１】
0003884566.tif 000002
【図２】
0003884566.tif 000003
【図３】
0003884566.tif 000004
【図４】
0003884566.tif 000005
【図５】
0003884566.tif 000006
【図６】
0003884566.tif 000007
【図７】
0003884566.tif 000008
【図８】
0003884566.tif 000009